(57)【特許請求の範囲】
【請求項１】
一端側が固定可能な可撓性のアウターケーブルにインナーケーブルを挿通してなる入力ケーブルと、
一端側が固定可能なアウターケーブルにインナーケーブルを挿通してなる出力ケーブルと、
一端側が固定可能なアウターケーブルにインナーケーブルを挿通してなる操作ケーブルと、
操作ケーブルのアウターケーブルの他端側及び出力ケーブルのアウターケーブルの他端側が連結される連結具とを備え、
入力ケーブルのインナーケーブルと出力ケーブルのインナーケーブルとを一本通しとするか又は接合して連結し、
入力ケーブルのアウターケーブルの他端側を前記連結具に対し長手方向へ移動自在に構成し、
操作ケーブルのインナーケーブルの他端側と入力ケーブルのアウターケーブルの他端側とを連動可能に連結し、
入力ケーブルのアウターケーブルの他端側を引張方向又は圧縮方向へ常時付勢するバネを配置し、
操作ケーブルのインナーケーブルを操作して、これと連動する入力ケーブルのアウターケーブルの他端位置を前記バネの付勢力に抗して変更することにより、当該アウターケーブルの長手方向に沿う圧縮状態を変更できるようになされ、
入力ケーブルのアウターケーブルを長手方向に圧縮したときには、入力ケーブルのインナーケーブルの両端を連動させて、入力ケーブルのインナーケーブルに加えた入力を出力ケーブルのインナーケーブルへ伝達することが可能なＯＮ状態となり、
入力ケーブルのアウターケーブルを長手方向に圧縮しないときには、入力ケーブルのインナーケーブルの両端が連動せず、入力ケーブルのインナーケーブルに加えた入力を出力ケーブルのインナーケーブルへ伝達させないＯＦＦ状態となるように構成したことを特徴とする
ＯＮ／ＯＦＦ機構付きケーブルシステム。
【請求項２】
前記連結具に形成した摺動案内部に、入力ケーブルの長手方向に移動自在に案内される滑子を設け、操作ケーブルのインナーケーブルの他端側と入力ケーブルのアウターケーブルの他端側とを前記滑子で連結した請求項１記載のＯＮ／ＯＦＦ機構付きケーブルシステム。
【請求項３】
入力ケーブルのアウターケーブルの他端側を引張方向又は圧縮方向へ常時付勢するためのバネを、前記連結具と前記滑子との間に配置した請求項２記載のＯＮ／ＯＦＦ機構付きケーブルシステム。
【請求項４】
一端側が固定可能な可撓性のアウターケーブルにインナーケーブルを挿通してなる入力ケーブルと、
入力ケーブルのアウターケーブルの他端側に連結した操作具と、
前記アウターケーブルの他端側を長手方向へ移動自在に案内する案内具とを備え、
入力ケーブルのアウターケーブルの一端側及び案内具を固定した状態で、前記操作具を操作することにより、入力ケーブルのアウターケーブルの他端位置を変更して、当該アウターケーブルの長手方向に沿う圧縮状態を変更できるようになされ、
入力ケーブルのアウターケーブルを長手方向に圧縮したときには、入力ケーブルのインナーケーブルの両端を連動させることが可能なＯＮ状態となり、
入力ケーブルのアウターケーブルを長手方向に圧縮しないときには、入力ケーブルのインナーケーブルの両端を連動させないＯＦＦ状態となるように構成したことを特徴とする
ＯＮ／ＯＦＦ機構付きケーブルシステム。
【請求項５】
前記操作具を、一端側が固定可能で且つ他端側が前記案内具に連結されたアウターケーブルにインナーケーブルを挿通してなる操作ケーブルと、当該操作ケーブルのインナーケーブルと前記入力ケーブルのアウターケーブルの他端側とを連結する滑子とで形成し、当該滑子は、前記案内具によって、入力ケーブルのアウターケーブルの長手方向へ移動自在に案内されるものである請求項４記載のＯＮ／ＯＦＦ機構付きケーブルシステム。
【発明の詳細な説明】
【０００１】
【発明の属する技術分野】
本発明は、アウターケーブルにインナーケーブルを挿通してなる入力ケーブルを、インナーケーブルの両端側を連動させるＯＮ状態と、インナーケーブルの両端側を連動させないＯＦＦ状態とに切り換えるＯＮ／ＯＦＦ機構付きケーブルシステムに関するものである。
【０００２】
【従来の技術】
原動側の出力を従動側に入力するときの簡単な機構としては、原動側の出力端と従動側の入力端とを、アウターケーブルにインナーケーブルを挿通してなるケーブルのインナーケーブルで連結するものがある。このケーブルを用いた伝動機構において、出力端から入力端への伝動状態を、他の操作力でＯＮ／ＯＦＦしたい場合がある。この要請に応える機構としては、ケーブルの途中に機械的クラッチを配置し、他の操作力でクラッチを操作するのが一般的である。
【０００３】
【発明が解決しようとする課題】
しかし、ケーブルの途中に機械的クラッチを配置することは、構造的に複雑になって大型化すると共に機械的クラッチによりコストの増大を招く問題がある。そのため、機械的クラッチを用いることなく簡単な構造でＯＮ／ＯＦＦできる機構の出現が望まれていた。
【０００４】
そこで、本発明は、上記要請に応えるために、可撓性のアウターケーブルにインナーケーブルを挿通してなるケーブルの特性を利用することで、簡単な構造でＯＮ／ＯＦＦできるＯＮ／ＯＦＦ機構付きケーブルシステムの提供を目的とする。このケーブルの特性とは、湾曲するように撓むことができる可撓性のアウターケーブルをアウターケーブル長手方向へ圧縮してアウターケーブルとインナーケーブルとの間に遊びを形成させないようにした状態で、インナーケーブルの他端に負荷がかかる状態で一端に押し引きの入力を加えたとき、インナーケーブルの両端を同時に連動させることができるＯＮ状態となり、逆に、アウターケーブルをアウターケーブル長手方向へ圧縮することなくアウターケーブルとインナーケーブルとの間に遊びを形成した状態で、インナーケーブルの他端に負荷がかかる状態で一端に押し引きの入力を加えたとしても、インナーケーブルの両端を連動させることができないＯＦＦ状態となることを言う。
【０００５】
【課題を解決するための手段】
アウターケーブルにインナーケーブルを挿通してなるケーブルの特性を利用してケーブルをＯＮ／ＯＦＦできるようにするために請求項１記載の本発明が採用した手段は、一端側が固定可能な可撓性のアウターケーブルにインナーケーブルを挿通してなる入力ケーブルと、一端側が固定可能なアウターケーブルにインナーケーブルを挿通してなる出力ケーブルと、一端側が固定可能なアウターケーブルにインナーケーブルを挿通してなる操作ケーブルと、操作ケーブルのアウターケーブルの他端側及び出力ケーブルのアウターケーブルの他端側が連結される連結具とを備え、入力ケーブルのインナーケーブルと出力ケーブルのインナーケーブルとを一本通しとするか又は接合して連結し、入力ケーブルのアウターケーブルの他端側を前記連結具に対し長手方向へ移動自在に構成し、操作ケーブルのインナーケーブルの他端側と入力ケーブルのアウターケーブルの他端側とを連動可能に連結し、入力ケーブルのアウターケーブルの他端側を引張方向又は圧縮方向へ常時付勢するバネを配置し、操作ケーブルのインナーケーブルを操作して、これと連動する入力ケーブルのアウターケーブルの他端位置を前記バネの付勢力に抗して変更することにより、当該アウターケーブルの長手方向に沿う圧縮状態を変更できるようになされ、入力ケーブルのアウターケーブルを長手方向に圧縮したときには、入力ケーブルのインナーケーブルの両端を連動させて、入力ケーブルのインナーケーブルに加えた入力を出力ケーブルのインナーケーブルへ伝達することが可能なＯＮ状態となり、入力ケーブルのアウターケーブルを長手方向に圧縮しないときには、入力ケーブルのインナーケーブルの両端が連動せず、入力ケーブルのインナーケーブルに加えた入力を出力ケーブルのインナーケーブルへ伝達させないＯＦＦ状態となるように構成したことを特徴とするＯＮ／ＯＦＦ機構付きケーブルシステムである。
【０００６】
請求項１記載の本発明にあっては、入力ケーブル，出力ケーブル及び操作ケーブルの各アウターケーブルの一端側を固定し、出力ケーブルと操作ケーブルとの中間に連結具を位置させて用い、操作ケーブルのインナーケーブルを介して入力ケーブルのアウターケーブルの圧縮状態を操作力で変更することにより、入力ケーブルのＯＮ状態とＯＦＦ状態とを選択できる。すなわち、入力ケーブルのアウターケーブルの圧縮状態を緩めてアウターケーブルとインナーケーブルとの間に遊びを形成させることにより、インナーケーブルの両端を連動させないＯＦＦ状態にでき、入力ケーブルのアウターケーブルを圧縮してアウターケーブルとインナーケーブルとの間に遊び形成させないことにより、インナーケーブルの両端を連動させるＯＮ状態にできる。入力ケーブルのアウターケーブルを圧縮状態とするとき発生するアウターケーブルからの反力は、操作ケーブルを介して固定側へ伝達される。
【０００７】
入力ケーブルのアウターケーブルの圧縮状態を円滑に変更できるようにするために請求項２記載の本発明が採用した手段は、前記連結具に形成した摺動案内部に、入力ケーブルの長手方向に移動自在に案内される滑子を設け、操作ケーブルのインナーケーブルの他端側と入力ケーブルのアウターケーブルの他端側とを前記滑子で連結した請求項１記載のＯＮ／ＯＦＦ機構付きケーブルシステムである。
【０００８】
請求項２記載の本発明にあっては、操作ケーブルのインナーケーブルの他端側と入力ケーブルのアウターケーブルの他端側とが、摺動案内部に入力ケーブル圧縮方向へ移動自在に案内される滑子で連結されるため、操作ケーブルのインナーケーブルを介して伝達する操作力を入力ケーブルのアウターケーブルへ円滑に伝達することができる。
【０００９】
なお請求項３に記載する如く、常時ＯＦＦ状態又はＯＮ状態となるようにするための、入力ケーブルのアウターケーブルの他端側を引張方向又は圧縮方向へ常時付勢するバネを、前記連結具と前記滑子との間に配置してもよい。
【００１０】
請求項３記載の本発明にあっては、入力ケーブルのアウターケーブルの他端側を引張方向へ常時付勢するバネを設けた場合は、アウターケーブルとインナーケーブルとの間に遊びを形成させてインナーケーブルの両端を連動させないＯＦＦ状態にできる。操作ケーブルに操作力を伝達してバネの付勢力に抗して入力ケーブルのアウターケーブルの他端側をアウターケーブル圧縮方向へ移動させたときには、入力ケーブルのアウターケーブルを圧縮してアウターケーブルとインナーケーブルとの間に遊び形成させないでインナーケーブルの両端を連動させるＯＮ状態にできる。
【００１２】
反対に、入力ケーブルのアウターケーブルの他端側を圧縮方向へ常時付勢するバネを設けた場合は、バネの付勢力で入力ケーブルのアウターケーブルを圧縮させることにより、アウターケーブルとインナーケーブルとの間に遊び形成させないでインナーケーブルの両端を連動させるＯＮ状態にできる。操作ケーブルに操作力を伝達してバネの付勢力に抗して入力ケーブルのアウターケーブルの他端側を引っ張るときには、アウターケーブルとインナーケーブルとの間に遊びを形成させてインナーケーブルの両端を連動させないＯＦＦ状態にできる。
【００１３】
アウターケーブルにインナーケーブルを挿通してなるケーブルの特性を利用してケーブルをＯＮ／ＯＦＦできるようにするために請求項４記載の本発明が採用した手段は、一端側が固定可能な可撓性のアウターケーブルにインナーケーブルを挿通してなる入力ケーブルと、入力ケーブルのアウターケーブルの他端側に連結した操作具と、前記アウターケーブルの他端側を長手方向へ移動自在に案内する案内具とを備え、入力ケーブルのアウターケーブルの一端側及び案内具を固定した状態で、前記操作具を操作することにより、入力ケーブルのアウターケーブルの他端位置を変更して、当該アウターケーブルの長手方向に沿う圧縮状態を変更できるようになされ、入力ケーブルのアウターケーブルを長手方向に圧縮したときには、入力ケーブルのインナーケーブルの両端を連動させることが可能なＯＮ状態となり、入力ケーブルのアウターケーブルを長手方向に圧縮しないときには、入力ケーブルのインナーケーブルの両端を連動させないＯＦＦ状態となるように構成したことを特徴とするＯＮ／ＯＦＦ機構付きケーブルシステムである。
【００１４】
請求項４記載の本発明にあっては、入力ケーブルのアウターケーブルの一端側及び案内具を固定して用い、操作具で入力ケーブルのアウターケーブルの圧縮状態を変更することにより、入力ケーブルのＯＮ状態とＯＦＦ状態とを選択できる。すなわち、入力ケーブルのアウターケーブルの圧縮状態を緩めてアウターケーブルとインナーケーブルとの間に遊びを形成させることにより、インナーケーブルの両端を連動させないＯＦＦ状態にでき、入力ケーブルのアウターケーブルを圧縮してアウターケーブルとインナーケーブルとの間に遊び形成させないことにより、インナーケーブルの両端を連動させるＯＮ状態にできる。
【００１５】
ＯＮ／ＯＦＦ操作をケーブルでできるようにするために請求項５記載の本発明が採用した手段は、前記操作具を、一端側が固定可能で且つ他端側が前記案内具に連結されたアウターケーブルにインナーケーブルを挿通してなる操作ケーブルと、当該操作ケーブルのインナーケーブルと前記入力ケーブルのアウターケーブルの他端側とを連結する滑子とで形成し、当該滑子は、前記案内具によって、入力ケーブルのアウターケーブルの長手方向へ移動自在に案内されるものである請求項４記載のＯＮ／ＯＦＦ機構付きケーブルシステムである。
【００１６】
請求項５記載の本発明にあっては、操作ケーブルで入力ケーブルのアウターケーブルの圧縮状態を変更することができる。
【００１７】
また、請求項５の発明は、操作具と入力ケーブルのアウターケーブルの他端側とを滑子で連結し、案内具によって滑子を入力ケーブル圧縮方向へ移動自在に案内させたので、入力ケーブルのアウターケーブルの圧縮状態を円滑に変更することができる。
【００１８】
【発明の実施の形態】
以下、本発明に係るＯＮ／ＯＦＦ機構付きケーブルシステム（以下、「本発明ケーブルシステム」という）を図面に示す実施の形態に基づいて説明する。
【００１９】
（第１の実施の形態）
図１は本発明ケーブルシステムの第１の実施の形態を示すものであって、ケーブルを中間省略して示す断面図であり、（Ａ）はＯＦＦ状態を示し、（Ｂ）はＯＮ状態を示すものである。
【００２０】
本実施の形態に係るケーブルシステム１は、一端側２ａが固定可能で且つ湾曲するように撓むことができる可撓性のアウターケーブル２にインナーケーブル３を挿通してなる入力ケーブル４と、一端側５ａが固定可能な可撓性のアウターケーブル５にインナーケーブル６を挿通してなる出力ケーブル７と、一端側８ａが固定可能な可撓性のアウターケーブル８にインナーケーブル９を挿通してなる操作ケーブル１０と、操作ケーブル１０のアウターケーブル８の他端側８ｂと出力ケーブル７のアウターケーブル５の他端側５ｂとを連結する連結具１１とを備えている。そして、ケーブルシステム１は、入力ケーブル４及び出力ケーブル７のインナーケーブル３，６どうしを接合し又は一本通しで形成することで連結し、操作ケーブル１０のインナーケーブル９の他端側９ｂと入力ケーブル４のアウターケーブル２の他端側２ｂとを連結し、操作ケーブル１０のインナーケーブル９の一端側９ａに入力する操作力Ｆの有無で入力ケーブル４のアウターケーブル２の圧縮状態を変更できるようにしてある。
【００２１】
また、このケーブルシステム１は、入力ケーブル４のアウターケーブル２の圧縮状態を円滑に変更できるようにするために、連結具１１に摺動案内部１１ａを形成し、摺動案内部１１ａに入力ケーブル圧縮方向（矢符Ａ方向）に沿って移動自在に案内される滑子１２で、操作ケーブル１０のインナーケーブル９の他端側９ｂと入力ケーブル４のアウターケーブル２の他端側２ｂとを連結し、操作ケーブル１０のインナーケーブル９を介して伝達する操作力Ｆを入力ケーブル４のアウターケーブル２へ円滑に伝達するようにしてある。入力ケーブル４のアウターケーブル２の他端側２ｂは、連結具１１の摺動案内部１１ａに沿ってアウターケーブル長手方向へ移動自在に案内されることになる。
【００２２】
更に、このケーブルシステム１は、常時ＯＦＦ状態となるように、連結具１１と滑子１２との間に、入力ケーブル４のアウターケーブル２を引張方向（矢符Ｂ方向）へ付勢するためのバネ１３（図示の場合は圧縮コイルバネ）を配置してある。ＯＮ状態にするときには、操作ケーブル１０で、バネ１３の付勢力に抗して入力ケーブル４のアウターケーブル２の他端側２ｂをアウターケーブル圧縮方向へ移動させる。
【００２３】
前記ケーブルシステム１を使用するときには、入力ケーブル４，出力ケーブル７及び操作ケーブル１０の各アウターケーブル２，５，８の一端側２ａ，５ａ，８ａを固定Ｄすることで出力ケーブル４と操作ケーブル１０との中間に連結具１１を位置させ、出力ケーブル７のアウターケーブル５を圧縮状態に調整してアウターケーブル５とインナーケーブル６との間に遊びを形成しないと共に、操作ケーブル１０のアウターケーブル８を圧縮状態に調整してアウターケーブル８とインナーケーブル９との間に遊び形成しないようにセットし、操作ケーブル１０のインナーケーブル９の一端９ａに引っ張る操作力Ｆを付与するか否かで入力ケーブル４のアウターケーブル２の圧縮状態を変更して、入力ケーブル４のＯＮ状態及びＯＦＦ状態のいずれか一方を選択できるようにする。すなわち、ケーブルシステム１は、操作ケーブル１０に対する操作力Ｆを緩めて、バネ１３の付勢力で入力ケーブル４の可撓性のアウターケーブル２を引っ張る（圧縮状態を緩める）ことにより、入力ケーブル４のアウターケーブル２とインナーケーブル３との間に遊びを形成させ、インナーケーブル３の両端を同時に連動させないＯＦＦ状態にでき、入力ケーブル４のインナーケーブル３に伝達する入力を出力ケーブル７のインナーケーブル６へ伝達させない状態となる。
【００２４】
逆に、ケーブルシステム１は、操作ケーブル１０のインナーケーブル９の一端９ａをバネ１３の付勢力に抗して操作力Ｆで引っ張って入力ケーブル４の可撓性のアウターケーブル２の他端側２ｂを圧縮方向（矢符Ａ方向）へ移動させることにより、アウターケーブル２とインナーケーブル３との間に遊び形成させない状態にして、インナーケーブル３の両端を実質的に同時に連動させるＯＮ状態とし、入力ケーブル４のインナーケーブル３に伝達する入力を出力ケーブル７のインナーケーブル６へ伝達させることができる。なお、入力ケーブル４のアウターケーブル２を圧縮状態とするとき発生するアウターケーブル２からの反力は、連結具１１を介して出力ケーブル７及び操作ケーブル１０の固定Ｄ側へ伝達される。
【００２５】
前記ケーブルシステム１は、図５に示す如く、例えば動力耕耘機１５の事故防止装置１６に用いることができる。事故防止装置１６は、耕耘作業中の走行方向転換時に耕耘用ロータリ１７を強制的に停止させて、耕耘用ロータリ１７に足が巻き込ませる事故を防止するためのものである。この事故防止装置１６は、耕耘ロータリ１７が上昇した耕耘ロータリ持ち上げ状態を検知するロータリカバーからなるロータリ持上検知具１８と、耕耘クラッチ装置１９と、左右のサイドクラッチレバー２０，２０及びロータリ持上検知具１８の動きに基づいて耕耘クラッチ装置１９を動作させるか否かを判断するためのＯＲ動作機構２１及びＡＮＤ動作機構となる本発明ケーブルシステム１とを備えている。事故防止装置１６は、耕耘ロータリ１７を持ち上げ且つ左右のサイドクラッチレバー２０，２０の一方を切り操作する走行方向転換状態となっているか否かをＯＲ動作機構２１及び本発明ケーブルシステム１で判定するようにしてある。
【００２６】
ケーブルシステム１は、ロータリ持上検知具１８の出力部となる上端に入力ケーブル４のインナーケーブル３の一端側３ａを連結し、ＯＲ動作機構２１の出力部に操作ケーブル１０のインナーケーブル９の一端９ａ（図１参照）を連結し、耕耘クラッチ装置１９の入力部に出力ケーブル７のインナーケーブル６の一端側６ａ（図１参照）を連結してある。事故防止装置１６は、サイドクラッチレバー２０の一方を操作すると共にロータリ持上検知具１８の下端が降下する走行方向転換状態になると、サイドクラッチレバー２０の操作力をＯＲ動作機構２１を介して操作ケーブル１０へ伝達して操作ケーブル１０のインナーケーブル９を引っ張って本発明ケーブルシステム１をＯＮ状態にすると共に、ロータリ持上検知具１８の出力を入力ケーブル４及び出力ケーブル７を介して耕耘クラッチ装置１９に伝達してクラッチ切り状態にすることで、耕耘用ロータリ１７を強制的に停止させる。ケーブルシステム１は、サイドクラッチレバー２０，２０の操作がなくてＯＲ動作機構２１の出力がないときに、ＯＦＦ状態となり耕耘クラッチ装置１９をクラッチ入りとする。
【００２７】
（第２の実施の形態）
図２は本発明ケーブルシステムの第２の実施の形態を示すものであって、ケーブルを中間省略して示す断面図であり、（Ａ）はＯＮ状態を示し、（Ｂ）はＯＦＦ状態を示すものである。
【００２８】
本実施の形態に係るケーブルシステム３１が第１の実施の形態の前記ケーブルシステム１と大きく相違する点は、常時ＯＮ状態となるように、連結具１１と滑子１２との間に、入力ケーブル４のアウターケーブル２を圧縮方向（矢符Ａ方向）へ付勢するバネ３３（図示の場合は圧縮コイルバネ）を配置し、バネ３３の付勢力に抗して入力ケーブル４のアウターケーブル２の他端側２ｂをアウターケーブル引張方向へ操作ケーブル１０で移動できるようにしたことである。この相違点以外の構成は、前記ケーブルシステム１と実質的に同一であり、同一符号は、同一構成部材等を示している。
【００２９】
このケーブルシステム３１を使用するときには、入力ケーブル４，出力ケーブル７及び操作ケーブル１０の各アウターケーブル２，５，８の一端側２ａ，５ａ，８ａを固定Ｄして、出力ケーブル４と操作ケーブル１０との中間に連結具１１を位置させ、操作ケーブル１０のインナーケーブル９を引っ張る操作力Ｆで入力ケーブル４のアウターケーブル２の圧縮状態を変更することにより、入力ケーブル４のＯＮ状態及びＯＦＦ状態のいずれか一方を選択できる。すなわち、ケーブルシステム３１は、操作ケーブル１０に対する操作力Ｆを緩めて、バネ３３の付勢力で入力ケーブル４のアウターケーブル２を圧縮することにより、アウターケーブル２とインナーケーブル３との間に遊び形成させない状態にして、インナーケーブル３の両端を実質的に同時に連動させるＯＮ状態にでき、入力ケーブル４のインナーケーブル３に伝達する入力を出力ケーブル７のインナーケーブル６へ伝達させることができる。
【００３０】
逆に、ケーブルシステム３１は、操作ケーブル１０のインナーケーブル９の一端９ａをバネ３３の付勢力に抗して操作力Ｆで引っ張って入力ケーブル４のアウターケーブル２の他端側２ｂを引っ張る（圧縮状態を緩める）ことにより、入力ケーブル４のアウターケーブル２とインナーケーブル３との間に遊びを形成させ、インナーケーブル３の両端を連動させないＯＦＦ状態にでき、入力ケーブル４のインナーケーブル３に伝達する入力を出力ケーブル７のインナーケーブル６へ伝達させない状態となる。
【００３１】
（第３の実施の形態）
図３は本発明ケーブルシステムの第３の実施の形態を示すものであって、ケーブルを中間省略して示す断面図である。
【００３２】
本実施の形態に係るケーブルシステム４１は、一端側２ａが固定可能な可撓性のアウターケーブル２にインナーケーブル３を挿通してなる入力ケーブル４と、入力ケーブル４のアウターケーブル２の他端側２ｂをアウターケーブル長手方向へ移動自在に案内する固定可能な案内具４２と、入力ケーブル４のアウターケーブル２の他端側２ｂに連結した操作具４３とを備え、操作具４３の操作で入力ケーブル４のアウターケーブル２の圧縮状態を変更できるようにしてある。
【００３３】
このケーブルシステム４１は、入力ケーブル４のアウターケーブル２の圧縮状態を円滑に変更できるようにするために、案内具４２に摺動案内部４２ａを形成し、操作具４３と入力ケーブル４のアウターケーブル２の他端側２ｂとを滑子１２で連結し、摺動案内部４２ａに滑子１２を入力ケーブル４のアウターケーブル圧縮方向（矢符Ａ方向）に沿って移動自在に案内させ、操作具４３を介して伝達する操作力Ｆを入力ケーブル４のアウターケーブル２の他端側２ｂへ円滑に伝達するようにしてある。入力ケーブル４のアウターケーブル２の他端側２ｂは、案内具４２の摺動案内部４２ａに沿ってアウターケーブル２の長手方向へ移動することができることになる。
【００３４】
更に、ケーブルシステム４１は、常時ＯＦＦ状態となるように、案内具４２と滑子１２との間に、入力ケーブル４のアウターケーブル２を引張方向（矢符Ｂ方向）へ付勢するバネ１３（図示の場合は圧縮コイルバネ）を配置し、バネ１３の付勢力に抗して入力ケーブル４のアウターケーブル２の他端側２ｂをアウターケーブル圧縮方向へ操作具４３で移動できるようにしてある。
【００３５】
前記ケーブルシステム４１を使用するときには、入力ケーブル４のアウターケーブル２の一端側２ａ及び案内具４２を固定Ｄし、操作具４３に加えられる操作力Ｆで入力ケーブル４のアウターケーブル２の圧縮状態を変更することにより、入力ケーブル４のＯＮ状態及びＯＦＦ状態のいずれか一方を選択できる。すなわち、ケーブルシステム４１は、操作具４３に操作力Ｆを加えずにバネ１３の付勢力で入力ケーブル４の可撓性のアウターケーブル２を引っ張る（圧縮状態を緩める）ことにより、入力ケーブル４のアウターケーブル２とインナーケーブル３との間に遊びを形成させ、インナーケーブル３の両端３ａ，３ｂを連動させないＯＦＦ状態にできる。
【００３６】
逆に、ケーブルシステム４１は、バネ１３の付勢力に抗して操作具４３に加える操作力Ｆで入力ケーブル４の可撓性のアウターケーブル２の他端側２ｂを圧縮方向（矢符Ａ方向）へ移動させることにより、アウターケーブル２とインナーケーブル３との間に遊び形成させない状態にして、インナーケーブル３の両端３ａ，３ｂを実質的に同時に連動させるＯＮ状態にできる。
【００３７】
（第４の実施の形態）
図４は本発明ケーブルシステムの第４の実施の形態を示すものであって、ケーブルを中間省略して示す断面図である。
【００３８】
本実施の形態に係るケーブルシステム５１が前記第３の実施の形態のケーブルシステム４１と相違する点は、入力ケーブル４のアウターケーブル２の圧縮状態の変更を操作ケーブル１０で行うようにしたことである。この相違点以外の構成は、前記ケーブルシステム４１と実質的に同一であり、同一符号は同一構成部材等を示す。
【００３９】
操作ケーブル１０は、一端側８ａが固定可能な可撓性のアウターケーブル８にインナーケーブル９を挿通してなるものであり、案内具４２にアウターケーブル８の他端側８ｂを連結すると共に、インナーケーブル９の他端側９ｂと入力ケーブル４のアウターケーブル２の他端側２ｂとを滑子１２を介して連結し、インナーケーブル９の一端側９ａに入力した操作力Ｆで入力ケーブル４のアウターケーブル２の圧縮状態を変更できるようにしてある。
【００４０】
前記ケーブルシステム５１を使用するときには、入力ケーブル４のアウターケーブル２の一端側２ａ、操作ケーブル１０のアウターケーブル８の一端側８ａ及び案内具４２をそれぞれ固定Ｄし、操作ケーブル１０のインナーケーブル９の一端側９ａに加えられる操作力Ｆで入力ケーブル４のアウターケーブル２の圧縮状態を変更することにより、入力ケーブル４のＯＮ状態及びＯＦＦ状態のいずれか一方を選択できる。ＯＮ／ＯＦＦのための動作は、前記第３の実施の形態と実質的に同一であるため、説明を省略する。
【００４１】
（その他の実施の形態）
前記ケーブルシステム４１及び５１は、常時ＯＦＦ状態となるように構成してあるが、常時ＯＮ状態となるように変更することも可能である。常時ＯＮ状態とするには、図示は省略したが、図２に示す第２の実施の形態と同様に構成する。すなわち、入力ケーブル４のアウターケーブル２の他端側２ｂを常時圧縮方向へ押圧するバネ３３（図２参照）を案内具４２と滑子１２との間に配設する。
【００４２】
【発明の効果】
請求項１記載の本発明システムは、操作ケーブルのインナーケーブルの他端側と入力ケーブルのアウターケーブルの他端側とを連結する簡単な構造で入力ケーブルのＯＮ／ＯＦＦ状態を選択できるため、小型化とコストの低減が図れる。
また、入力ケーブルのアウターケーブルの他端側を引張方向又は圧縮方向へ常時付勢するバネを設けたので、本発明システムを常時はＯＦＦ状態又はＯＮ状態とすることができる。
【００４３】
請求項２記載の本発明システムは、滑子を滑らしながら入力ケーブルのアウターケーブルへ操作力を伝達することができるので、円滑にＯＮ／ＯＦＦの操作ができる。
【００４５】
請求項４記載の本発明システムは、入力ケーブルのアウターケーブルの他端側と操作具とを連結する簡単な構造で入力ケーブルのＯＮ／ＯＦＦ状態を選択できるため、小型化とコストの低減が図れる。
【００４６】
請求項５記載の本発明システムは、操作ケーブルを介してＯＮ／ＯＦＦ状態を選択できるため、操作ケーブルの長さを適宜選択することにより適用範囲を拡大できる。
【図面の簡単な説明】
【図１】本発明ケーブルシステムの第１の実施の形態を示すものであって、ケーブルを中間省略して示す断面図であり、（Ａ）はＯＦＦ状態を示し、（Ｂ）はＯＮ状態を示すものである。
【図２】本発明ケーブルシステムの第２の実施の形態を示すものであって、ケーブルを中間省略して示す断面図であり、（Ａ）はＯＮ状態を示し、（Ｂ）はＯＦＦ状態を示すものである。
【図３】本発明ケーブルシステムの第３の実施の形態を示すものであって、ケーブルを中間省略して示す断面図である。
【図４】本発明ケーブルシステムの第４の実施の形態を示すものであって、ケーブルを中間省略して示す断面図である。
【図５】本発明ケーブルシステムを動力耕耘機の事故防止装置に適用したときの事故防止装置全体を示す斜視図である。
【符号の説明】
２，５，８…アウターケーブル、３，６，９…インナーケーブル、４…入力ケーブル、７…出力ケーブル、１０…操作ケーブル、１１…連結具、１２…滑子、１３，３３…バネ、４２…案内具、４３…操作具
【図１】
0004659945.tif 000002
【図２】
0004659945.tif 000003
【図３】
0004659945.tif 000004
【図４】
0004659945.tif 000005
【図５】
0004659945.tif 000006